(57)【要約】
【課題】  睫毛のくせつけ器内に、電池やヒーターを備える必要なく加熱芯を加熱でき、故障もなく、安価で、かつ、軽量な睫毛のくせつけ器を提供することを目的とする。
【解決手段】  把持部の長手方向の端部に、湯に浸けて加熱されるプラスチック製の棒状又は帯板状の加熱芯２を、別体として突出退入自在に設けられている。
また、基本筒部３の両端に、芯押出孔５，５を有する先端筒部６，６を回動自在に連結している。
さらに、その連結された基本筒部３と両先端筒部６，６内に、先端筒部６，６の回動によって先端筒部６，６から突出退入自在に挿入された、湯に浸けて加熱されるプラスチック製の棒状又は帯板状の加熱芯２，２を、備えた。
【選択図】  図１
0003101488.tif 000002
【実用新案登録請求の範囲】
【請求項１】
把持部（１）の長手方向の端部に、湯に浸けて加熱されるプラスチック製の棒状又は帯板状の加熱芯（２）を、一体状に突設又は別体として突出退入自在に設けられたことを特徴とする睫毛のくせつけ器。
【請求項２】
基本筒部（３）の両端に、芯押出孔（５)(５）を有する先端筒部（６)(６）を回動自在に連結し、
さらに、その連結された上記基本筒部（３）と両先端筒部（６)(６）内に、上記先端筒部（６)(６）の回動によって該先端筒部（６)(６）から突出退入自在に挿入された、湯に浸けて加熱されるプラスチック製の棒状又は帯板状の加熱芯（２)(２）を、備えたことを特徴とする睫毛のくせつけ器。
【請求項３】
湯に浸けて加熱されるプラスチック製の加熱芯（２)(２）を、把持部（１）の長手方向の両端に一体状に設けられ、一方の加熱芯（２）は直径が２mm〜３mmのストレート棒状体であり、他方の加熱芯（２）は湾曲した帯板状体で、その湾曲した加熱芯（２）の曲率半径（Ｒ）を30mm〜50mm、幅を２mm〜４mm、厚みを 0.5mm〜 1.5mmに設定したことを特徴とする睫毛のくせつけ器。
【請求項４】
湯に浸けて加熱されるプラスチック製の加熱芯（２）（２）を、把持部（１）の長手方向の両端に一体状に設けられ、一方の加熱芯（２）は直径が２mm〜３mmのストレート棒状体であり、他方の加熱芯（２）は湾曲した棒状体又は帯板状体で、その湾曲した加熱芯（２）の曲率半径（Ｒ）を30mm〜50mmに設定し、かつ、湾曲した加熱芯（２）の先端には小球部（15）を有することを特徴とする睫毛のくせつけ器。  
【考案の詳細な説明】
【技術分野】
【０００１】
本考案は、メーキャップ用の道具の一つである睫毛をカールするための睫毛のくせつけ器に関するものである。
【背景技術】
【０００２】
従来、睫毛をカールするための器具として、睫毛のくせつけ器内に電気によって発熱するヒーターを設け、そのヒーターを金属製の加熱棒に繋いだものがあり、電源には電池等が用いられていた（例えば、特許文献１参照）。そして、ヒーターで発生した熱を加熱棒に伝え、温まった加熱棒を睫毛に接触させてカールさせていた。
【特許文献１】実開平０４−６４３０２号公報
【考案の開示】
【考案が解決しようとする課題】
【０００３】
しかし、従来の睫毛のくせつけ器は、使用するには電池等の電源が必要であった。そして、電池やヒーターを備えているので重くなり、また、構造も複雑であるので故障もあり価格も高かった。
さらに、加熱棒の温度調節が難しく、高温になりすぎた場合は目の付近で使用するので危険であった。
【課題を解決するための手段】
【０００４】
上記の目的を達成するために、本考案は、把持部の長手方向の端部に、湯に浸けて加熱されるプラスチック製の棒状又は帯板状の加熱芯を、一体状に突設又は別体として突出退入自在に設けられている。
【０００５】
また、基本筒部の両端に、芯押出孔を有する先端筒部を回動自在に連結し、さらに、その連結された上記基本筒部と両先端筒部内に、上記先端筒部の回動によって該先端筒部から突出退入自在に挿入された、湯に浸けて加熱されるプラスチック製の棒状又は帯板状の加熱芯を、備えた。
【０００６】
また、湯に浸けて加熱されるプラスチック製の加熱芯を、把持部の長手方向の両端に一体状に設けられ、一方の加熱芯は直径が２mm〜３mmのストレート棒状体であり、他方の加熱芯は湾曲した帯板状体で、その湾曲した加熱芯の曲率半径を30mm〜50mm、幅を２mm〜４mm、厚みを 0.5mm〜 1.5mmに設定した。
【０００７】
また、湯に浸けて加熱されるプラスチック製の加熱芯を、把持部の長手方向の両端に一体状に設けられ、一方の加熱芯は直径が２mm〜３mmのストレート棒状体であり、他方の加熱芯は湾曲した棒状体又は帯板状体で、その湾曲した加熱芯の曲率半径を30mm〜50mmに設定し、かつ、湾曲した加熱芯の先端には小球部を有する。
【考案の効果】
【０００８】
本考案の睫毛のくせつけ器によれば、電池等の電源を用いなくとも、睫毛をカールするのに適度な温度に加熱芯を温めることができる。また、睫毛のくせつけ器自体の構造を簡単にでき、そのため故障もなく安価で軽量に睫毛のくせつけ器を製造できる。
【考案を実施するための最良の形態】
【０００９】
図１は、本考案の第１の実施の形態を示す断面側面図である。２，２は湯に浸けて加熱されるプラスチック製の加熱芯であり、一方の加熱芯２は棒状体であり、該加熱芯２の直径は２mm〜３mmに設定され、他方の加熱芯２は帯板状体（横断面扁平型）とするのがよい。該加熱芯２，２は基本筒部３の両端に同軸上に内挿されている。
基本筒部３内には、該基本筒部３の中心から両端方向へ左ネジ状に螺旋凹溝４，４が形成され、該基本筒部３の両端内部には、係止凹溝12，12を有している。
先端筒部６の先端には、芯押出孔５を有し、かつ、該先端筒部６の基端には係止凸部11，11を有している。さらに、該先端筒部６の内部には、長手方向に縦溝７が形成されている。
上記基本筒部３の両端には、上記先端筒部６，６が回動可能に連結され、上記係止凸部11，11と上記係止凹溝12，12が嵌合されている。また、上記加熱芯２の基端には、上記螺旋凹溝４に摺動可能に突起部８を有し、該加熱芯２の中程には、上記縦溝７にスライド自在に突条部９を有している（図２参照）。なお、上記縦溝７と上記突条部９は、複数設けられていてもよい。また、該加熱芯２自体、又は、加熱芯２の表面が、温度によって色が変化し、温度を簡単に目視可能な可逆的に熱変色するプラスチック製であってもよい。
【００１０】
図５は、第２の実施の形態を示す斜視図である。１は棒状又は丸みを帯びた帯板状の把持部である。把持部１の長手方向の両端に、湯に浸けて加熱されるプラスチック製の加熱芯２，２を一体状に設けている。一方の加熱芯２ａは、直径が２mm〜３mmのストレート棒状体である。また、他方の加熱芯２ｂは湾曲した帯板状体で、該加熱芯２ｂの曲率半径Ｒを30mm〜50mm、幅を２mm〜４mm、厚みを 0.5mm〜 1.5mmに設定している。
【００１１】
図６は、第３の実施の形態を示す斜視図である。１は棒状又は丸みを帯びた帯板状の把持部である。該把持部１の長手方向の両端に、湯に浸けて加熱されるプラスチック製の加熱芯２，２を一体状に設けている。一方の加熱芯２ａは、図５で示した加熱芯２ａと同様に形成されている。また、他方の加熱芯２ｃは湾曲した棒状体で、該加熱芯２ｃの曲率半径Ｒを30mm〜50mmに設定し、かつ、該加熱芯２ｃの先端には小球部15を有する。
【００１２】
上述した本考案である睫毛のくせつけ器の使用方法（作用）について説明する。
図１に於て、上記先端筒部６，６のどちらか一方を正面視して、手前の先端筒部６を右回りに回動させると、上記加熱芯２も連動して右回りに回動する。そして、上記突起部８と螺旋凹溝４が噛合していることにより、該加熱芯２が回動すると共に、該突起部８が螺旋凹溝４に沿って摺動し、該加熱芯２が芯押出孔５方向へスライド移動し、該加熱芯２が芯押出孔５から押し出される。
次に、図３に示すように、容器に60℃〜 100℃の湯を入れ、上記芯押出孔５から突出させた加熱芯２をその湯につけ、該加熱芯２に熱を与える。そして、基本筒部３を手で持ち、その温まった加熱芯２を湯から出してティッシュや布等で該芯２を拭く。その後、上記温まった加熱芯２を図４で示すように睫毛の裏側から接触させ、そのまま該加熱芯２を瞼の方向に持ち上げ、少し静止させると、睫毛がそり上がる。
【００１３】
また、図５に於ては、上記加熱芯２ａ、又は、加熱芯２ｂのうちどちらかを選択し、その選択した加熱芯２を容器に入った湯に浸けて温める。そして、把持部１を手で持ち、その温まった加熱芯２を湯から出してティッシュ等で該芯２を拭く。その後、上記温まった加熱芯２を睫毛の裏側から接触させ、そのまま該加熱芯２を瞼の方向に持ち上げ、少し静止させると、睫毛がそり上がる。なお、加熱芯２ｂを選択した場合は、湾曲した加熱芯２ｂの凸側を下に向けて睫毛を持ち上げるとよい。
【００１４】
また、図６で示す実施の形態は、上記図５で示す実施の形態と同様に使用し、なお、加熱芯２ｃを選択した場合は、湾曲した加熱芯２ｃの凸側を下に向けて睫毛を持ち上げるとよい。
【００１５】
以上のように、本考案によれば、把持部１の長手方向の端部に、湯に浸けて加熱されるプラスチック製の棒状又は帯板状の加熱芯２を、一体状に突設又は別体として突出退入自在に設けられているので、従来の睫毛のくせつけ器のように電池やヒーターを備える必要はなくなり、湯さえあれば何度でも使用でき、睫毛のくせつけ器の構造が簡単になり、故障もなく、安価で、かつ、軽量に睫毛のくせつけ器を製造できる。
さらに、湯で加熱芯２が温められるので、該加熱芯２が高温になりすぎることはなく安全に使用できる。
【００１６】
また、基本筒部３の両端に、芯押出孔５，５を有する先端筒部６，６を回動自在に連結し、さらに、その連結された上記基本筒部３と両先端筒部６，６内に、上記先端筒部６，６の回動によって該先端筒部６，６から突出退入自在に挿入された、湯に浸けて加熱されるプラスチック製の棒状又は帯板状の加熱芯２，２を、備えているので、該加熱芯２が先端筒部６に収納されている状態（使用しない状態）では、コンパクトになり持ち運びに便利であり、かつ、該加熱芯２も汚れにくい。さらに、上記芯押出孔５，５を覆うキャップを上記先端筒部６，６に着脱自在に取り付ければ、該加熱芯２をより清潔に保てる。
【００１７】
また、湯に浸けて加熱されるプラスチック製の加熱芯２，２を、把持部１の長手方向の両端に一体状に設けられ、一方の加熱芯２は直径が２mm〜３mmのストレート棒状体であり、他方の加熱芯２は湾曲した帯板状体で、その湾曲した加熱芯２の曲率半径Ｒを30mm〜50mm、幅を２mm〜４mm、厚みを 0.5mm〜 1.5mmに設定したので、睫毛の形や個人の好みに合わせて睫毛をカールできる。
また、湾曲した加熱芯２ｂの曲率半径が30mm未満である場合は、加熱芯２ｂの湾曲が急となって、睫毛の形に合わせてカールしづらくなり、加熱芯２ｂの曲率半径が50mmを越える場合は、加熱芯２ｂの湾曲が緩やかになり、一度で睫毛を好みの形にカールできず何度も加熱芯２ｂを温めてカールしなければならなくなる。また、加熱芯２ｂの幅を２mm未満、又は、厚みを 0.5mm未満に設定すると、該加熱芯２ｂの形状を維持するための強度が充分でなくなる。また、加熱芯２ｂの幅を４mmより大きく、又は、厚みを 1.5mmを越えて設定すると、睫毛をカールする場合に該加熱芯２ｂと睫毛の接触部分を把握しにくくなるので扱いにくく、さらに、コンパクトさにも欠ける。
また、ストレート棒状の加熱芯２ａの直径を２mm未満に設定すると、該加熱芯２ａの形状を維持するための強度が充分でなくなり、３mm越えて設定すると、睫毛をカールする場合に該加熱芯２ａと睫毛の接触部分を把握しにくくなるので扱いにくく、さらに、コンパクトさにも欠ける。
【００１８】
また、湯に浸けて加熱されるプラスチック製の加熱芯２，２を、把持部１の長手方向の両端に一体状に設けられ、一方の加熱芯２は直径が２mm〜３mmのストレート棒状体であり、他方の加熱芯２は湾曲した棒状体又は帯板状体で、その湾曲した加熱芯２の曲率半径Ｒを30mm〜50mmに設定し、かつ、湾曲した加熱芯２の先端には小球部15を有するので、睫毛の形や個人の好みに合わせてより安全に睫毛をカールできる。なお、ストレート棒状の加熱芯２ａの直径の値と湾曲した加熱芯２ｃの曲率半径の値を設定したのは、上記第２の実施の形態に於て、加熱芯２ａの直径の値と加熱芯２ｂの曲率半径の値を設定したのと同様の効果を得ることを目的としたものである。  
【図面の簡単な説明】
【００１９】
【図１】本考案の第１の実施の形態を示す断面側面図である。
【図２】先端筒部と加熱芯の断面正面図である。
【図３】加熱芯を加熱している状態を示す説明図である。
【図４】加熱芯で睫毛をカールしている状態を示す説明図である。
【図５】第２の実施の形態を示す斜視図である。
【図６】第３の実施の形態を示す斜視図である。
【符号の説明】
【００２０】
１  把持部
２  加熱芯
３  基本筒部
５  芯押出孔
６  先端筒部
15  小球部  
Ｒ  曲率半径
【図１】
0003101488.tif 000003
【図２】
0003101488.tif 000004
【図３】
0003101488.tif 000005
【図４】
0003101488.tif 000006
【図５】
0003101488.tif 000007
【図６】
0003101488.tif 000008